(57)【要約】【課題】  送信したカラー画像データの所定領域を少ないデータ量で通信に関する情報と共に保存すること。【解決手段】  画像データをファクシミリ通信にて送受信するファクシミリ送受信手段と、ファクシミリ通信にて送信及び受信した画像データがカラー画像データである場合に、そのカラー画像データの所定領域をモノクロ画像データに変換するデータ変換手段と、変換したモノクロ画像データと共に当該画像データの通信に関する情報をメモリに格納する格納手段と、メモリに格納されている前記通信に関する情報及び前記モノクロ画像データを出力する出力手段と、を備える。【選択図】      図１
2008312250.tif 000002
【特許請求の範囲】
【請求項１】
画像データをファクシミリ通信にて送受信するファクシミリ送受信手段と、ファクシミリ通信にて送信及び受信した画像データがカラー画像データである場合に、そのカラー画像データの所定領域をモノクロ画像データに変換するデータ変換手段と、変換したモノクロ画像データと共に当該画像データの通信に関する情報をメモリに格納する格納手段と、メモリに格納されている前記通信に関する情報及び前記モノクロ画像データを出力する出力手段と、を備えることを特徴とする通信装置。
【請求項２】
画像データを電子メールにて送受信する電子メール送受信手段と、電子メールにて送信及び受信した画像データがカラー画像データである場合に、そのカラー画像データの所定領域をモノクロ画像データに変換するデータ変換手段と、変換したモノクロ画像データと共に当該画像データの通信に関する情報をメモリに格納する格納手段と、メモリに格納されている前記通信に関する情報及び前記モノクロ画像データを出力する出力手段と、を備えることを特徴とする通信装置。
【請求項３】
前記データ変換手段は、前記電子メール送受信手段により送信及び受信した電子メールに複数のファイルからなるカラー画像データが添付されている場合に、前記所定領域として、前記複数のファイルからなるカラー画像データの各々の先頭部分、又は先頭ファイルとして添付されたカラー画像データの先頭部分のみをモノクロ画像データに変換することを特徴とする請求項２記載の通信装置。
【請求項４】
前記データ変換手段により変換されたモノクロ画像データを複数の符号化方式により符号化する符号化手段をさらに備え、該符号化手段は、前記モノクロ画像データを符号化した際にそのデータ量がしきい値以下となる符号化方式を選択して符号化し、前記格納手段は、前記符号化手段により符号化されたモノクロ画像データと共に当該画像データの通信に関する情報をメモリに格納することを特徴とする請求項１乃至３のいずれか１に記載の通信装置。
【発明の詳細な説明】
【技術分野】
【０００１】
本発明は、通信装置に関し、詳しくは送受信した原稿の画像データを通信に関する情報と共に格納する通信装置に関するものである。
【背景技術】
【０００２】
原稿読取部で読み取った原稿のモノクロ画像データをファクシミリ送信した後、その画像データの最初の１ページを縮小し、これを符号化して通信に関する情報と共に保存することができるファクシミリ装置がある。保存されたモノクロ画像データは、操作部からの所定操作によって伸長され通信に関する情報と共に記録紙に記録されるので、ユーザは送信した原稿の先頭ページと照らし合わせてその原稿についての通信に関する情報を容易に確認することができる（例えば、特許文献１参照。）。
【特許文献１】特開平１１−６９０３２号公報（第２−４頁、第５図）
【発明の開示】
【発明が解決しようとする課題】
【０００３】
しかしながら、カラー画像データについても上記と同様にして通信に関する情報と共に保存しようとすると、カラー画像データはモノクロ画像データに比べてデータ量が多いため、大容量のメモリを装備しなければ多くの送信したカラー画像データを保存することができないという問題点がある。
【０００４】
本発明は、上記課題に鑑みてなされたものであって、本発明の目的は、送信又は受信したカラー画像データの所定領域を少ないデータ量で通信に関する情報と共に保存することである。
【課題を解決するための手段】
【０００５】
上記目的を達成するために、請求項１記載の通信装置は、画像データをファクシミリ通信にて送受信するファクシミリ送受信手段と、ファクシミリ通信にて送信及び受信した画像データがカラー画像データである場合に、そのカラー画像データの所定領域をモノクロ画像データに変換するデータ変換手段と、変換したモノクロ画像データと共に当該画像データの通信に関する情報をメモリに格納する格納手段と、メモリに格納されている前記通信に関する情報及び前記モノクロ画像データを出力する出力手段と、を備えることを特徴としている。
【０００６】
請求項２記載の通信装置は、画像データを電子メールにて送受信する電子メール送受信手段と、電子メールにて送信及び受信した画像データがカラー画像データである場合に、そのカラー画像データの所定領域をモノクロ画像データに変換するデータ変換手段と、変換したモノクロ画像データと共に当該画像データの通信に関する情報をメモリに格納する格納手段と、メモリに格納されている前記通信に関する情報及び前記モノクロ画像データを出力する出力手段と、を備えることを特徴としている。
【０００７】
請求項３記載の通信装置は、請求項２記載の通信装置において、前記データ変換手段は、前記電子メール送受信手段により送信及び受信した電子メールに複数のファイルからなるカラー画像データが添付されている場合に、前記所定領域として、前記複数のファイルからなるカラー画像データの各々の先頭部分、又は先頭ファイルとして添付されたカラー画像データの先頭部分のみをモノクロ画像データに変換することを特徴としている。
【０００８】
請求項４記載の通信装置は、請求項１乃至３のいずれか１に記載の通信装置において、前記データ変換手段により変換されたモノクロ画像データを複数の符号化方式により符号化する符号化手段をさらに備え、該符号化手段は、前記モノクロ画像データを符号化した際にそのデータ量がしきい値以下となる符号化方式を選択して符号化し、前記格納手段は、前記符号化手段により符号化されたモノクロ画像データと共に当該画像データの通信に関する情報をメモリに格納することを特徴としている。
【発明の効果】
【０００９】
請求項１記載の通信装置によれば、ファクシミリ通信にて送信及び受信した画像データがカラー画像データである場合に、そのカラー画像データの所定領域のみをモノクロ画像データに変換して通信に関する情報と共に格納することができる。したがって、大容量のメモリを装備することなく送信及び受信したカラー原稿の画像データの所定領域をモノクロ画像データとして格納することができる。また、格納されたモノクロ画像データは、通信に関する情報と共に出力することが可能なので、ユーザは、その出力されたモノクロ画像及び通信に関する情報を見て通信内容を容易に確認することができる。
【００１０】
請求項２記載の通信装置によれば、電子メールにて送信及び受信した画像データがカラー画像データである場合に、そのカラー画像データの所定領域をモノクロ画像データに変換して通信に関する情報と共に格納することができる。したがって、大容量のメモリを装備することなく送信及び受信した電子メールに添付されているカラー画像データの所定領域をモノクロ画像データとして格納することができる。また、格納されたモノクロ画像データは、通信に関する情報と共に出力することが可能なので、ユーザは、その出力されたモノクロ画像及び通信に関する情報を見て通信内容を容易に確認することができる。
【００１１】
請求項３記載の通信装置によれば、送信及び受信した電子メールに複数のファイルからなるカラー画像データが添付されている場合、添付されている全てのカラー画像データの先頭部分をモノクロ画像データとして格納するか、又は先頭ファイルとして添付されているカラー画像データの先頭部分のみをモノクロ画像データとして格納することができる。したがって、電子メールにて送信及び受信したカラー画像データのうち、必要な領域のみを効率よく保存することができる。
【００１２】
請求項４記載の通信装置によれば、送信及び受信したカラー画像データをモノクロ画像データに変換した後、そのモノクロ画像データを符号化した際にそのデータ量がしきい値以下となるような符号化方式で符号化して格納するので、送信及び受信した画像データをより少ないデータ量で通信に関する情報と共に格納することが可能である。
【発明を実施するための最良の形態】
【００１３】
以下、本発明の実施の形態に係る通信装置をコピー機能、ファクシミリ機能、インターネットファクシミリ機能等を有する複合機に適用した場合について図面に基づき説明する。図１に示すように、通信装置１は、制御部（ＭＰＵ：Microprocessing Unit）２、ＲＯＭ（Read Only Memory）３、ＲＡＭ（Random Access Memory）４、操作部５、表示部６、コーデック７、原稿読取部８、判別回路９、変換回路１０、メモリ管理回路１１、画像メモリ１２、通信部１３、記録部１４及びＬＡＮ Ｉ／Ｆ（Local Area Network Interface）１５を備えたものであって、各部２乃至１５は、バス１６によって通信可能に接続されている。
【００１４】
制御部２は、所定のプログラムに従ってこの通信装置１を構成する各部を制御するものである。ＲＯＭ３は、制御部２によりこの通信装置１の各部の動作が制御されるための各種プログラムを格納している。ＲＯＭ３に格納されているプログラムは、例えば、送受信したカラー画像データの所定領域のみを復号化してモノクロ画像データに変換する処理を行うためのデータ変換処理プログラムや、モノクロ画像データを符号化した際に、そのデータ量がしきい値以下となるような符号化方式を選択してモノクロ画像データを符号化する処理を行うための符号化処理プログラムである。ここで、所定領域とは、送受信したカラー画像データの１ページ目のことである。
【００１５】
ＲＡＭ４は、登録されたファクシミリ番号、メールアドレス、各種設定情報等を予め格納している。また、ＲＡＭ４には、ファクシミリ機能又はインターネットファクシミリ機能により送受信した画像データの通信に関する情報等を格納するための通信管理テーブルＴが設けられている。
【００１６】
図２は、ファクシミリ機能により画像データを送受信した際に、その通信に関する情報等が格納される通信管理テーブルＴ１、Ｔ２である。送信した画像データの通信に関する情報が格納される通信管理テーブルＴ１は、図示するように「番号」フィールド、「相手先名」フィールド、「モード」フィールド、「開始日時」フィールド、「時間」フィールド、「枚数」フィールド、「結果」フィールド、「ファイル番号」フィールド、「方式」フィールド、及び「備考」フィールドからなる。「番号」フィールドには、通信を行った時間順に付けられる番号が格納される。「相手先名」フィールドには、画像データを送信した相手先の名称や相手先装置のファクシミリ番号が格納される。「モード」フィールドには、送信した画像データの画質に関する情報が格納される。「開始日時」フィールドには、画像データの送信を開始した日時が格納される。「時間」フィールドには、相手先装置へ画像データの送信を開始してから終了するまでの所要時間が格納される。「枚数」フィールドには、送信した画像データのページ数が格納される。「結果」フィールドには、通信結果が格納される。「ファイル番号」フィールドには、送信済みカラー画像データの１ページ目がモノクロ画像データに変換され、更に符号化されて格納される際に付けられる番号が格納される。「方式」フィールドには、格納されたモノクロ画像データがどの符号化方式で符号化されたものであるかを示す符号化の方式が格納される。「備考」フィールドには、その他の情報が格納される。なお、ファクシミリ機能により画像データを受信した場合にも、同様にして上記の通信に関する情報が通信管理テーブルＴ２に格納される。
【００１７】
図３は、インターネットファクシミリ機能により画像データを送受信した場合に、その画像データの通信に関する情報等が格納される通信管理テーブルＴ３、Ｔ４を示したものである。ここで、画像データの通信に関する情報とは、その画像データが添付されている電子メールの通信に関する情報である。送信した電子メールの通信に関する情報等が格納される通信管理テーブルＴ３は、図示するように「番号」フィールド、「宛先」フィールド、「日付」フィールド、「件名」フィールド、「結果」フィールド、「ファイル番号」フィールド、及び「方式」フィールドからなる。「番号」フィールドには、通信を行った時間順に付けられる番号が格納される。「宛先」フィールドには、電子メールを送信した相手先の名称や相手先のメールアドレスが格納される。「日付」フィールドには、電子メールを送信した日付が格納される。「件名」フィールドには、電子メールの件名が格納される。「結果」フィールドには、通信結果が格納される。「ファイル番号」フィールドには、送信済み電子メールに添付されているカラー画像データの先頭部分のみ、具体的にはカラー画像データの１ページ目のみがモノクロ画像データに変換され、更に符号化されて格納される際に付けられる番号が格納される。「方式」フィールドには、格納されたモノクロ画像データがどの符号化方式で符号化されたものであるかを示す符号化の方式が格納される。
【００１８】
また、インターネットファクシミリ機能により画像データが添付された電子メールを受信した場合は、通信管理テーブルＴ４に宛先の代わりに電子メールを送信した送信者のメールアドレスが格納され、他のフィールドには電子メールを送信した場合と同様に受信した電子メールの通信に関する情報等が格納される。
【００１９】
操作部５は、ファクシミリ番号、記録部数等を入力するためのテンキー、原稿読取部８に載置された原稿のコピー実行命令及びファクシミリ送信を指示するためのスタートキー、各種設定を行うためのカーソルキー等から構成される操作キーを具備している。また、インターネットファクシミリ機能により送受信した電子メールに、複数のファイルからなるカラー画像データが添付されている場合に、先頭ファイルとして添付されているカラー画像データの１ページ目のみを格納するか、又は添付されている全てのカラー画像データの１ページ目のみを格納するかの設定は、この操作部５から行われる。
【００２０】
表示部６は、この通信装置１の状態に関する情報、各種操作指示入力画面、エラー警告、設定状態、動作状態等を表示する液晶表示装置及びＬＥＤランプを具備している。また、表示部６はファクシミリ機能又はインターネットファクシミリ機能により送受信した画像データの１ページ目のモノクロ画像をその通信に関する情報と共に表示する。
【００２１】
コーデック７は、図４に示すようにＪＰＥＧコーデック７ａ、スキャナコーデック７ｂ及びプリントコーデック７ｃから構成されており、画像データを所定のプロトコルに対応して符号化（エンコード）・復号化（デコード）するものである。ＪＰＥＧコーデック７ａは、ＪＰＥＧ（Joint Photographic Experts Group）方式に対応して、多値メモリ１２ｂに格納されている多値画像データを符号化し、符号化メモリ１２ａに格納されている画像データを復号化する。スキャナコーデック７ｂは二値メモリ１２ｃに格納されている二値画像データをＭＨ（Modified Huffman）、ＭＲ（Modified Read）、ＭＭＲ（Modified Modified Read）、ＪＢＩＧ（Joint Bi-level Image experts Group）方式等により符号化する。プリントコーデック７ｃは、符号化メモリ１２ａに格納されている画像データを、記録部１４により記録紙に記録したり、表示部６の備える液晶表示装置に表示させるためにＭＨ、ＭＲ、ＭＭＲ、ＪＢＩＧ方式等により復号化する。
【００２２】
原稿読取部８は、自動原稿給送部（ＡＤＦ：Automatic Document Feeder）及びフラットベッド読取部（ＦＢＳ：Flat Bed Scanner）を備えており、カラーＣＣＤ（Charge Coupled Device）により原稿の画像の読み取りを行う。なお、この原稿読取部８は、制御部２の制御命令に従って原稿の予備走査を行い、この予備走査によって得られた原稿の画像情報は判別回路９へと送出される。そして、判別回路９は、その画像情報から原稿読取部８に載置された原稿がカラー原稿であるのかモノクロ原稿であるのかを判別する。
【００２３】
変換回路１０は、図１及び図４に示すように、第１変換回路１０ａ及び第２変換回路１０ｂを備えている。第１変換回路１０ａは、原稿読取部８で読み取られたＲＧＢ表色系の画像データに対しシューディング補正、ライン補正及びずれ補正等の入力補正を行い、Ｌ*ａ*ｂ*表色系の画像データへと入力色変換し、拡大縮小、地色補正等の処理を行う。第２変換回路１０ｂは、第１変換回路１０ａでＬ*ａ*ｂ*表色系に変換された画像データや、ＪＰＥＧコーデック７ａによって復号化された画像データをＣＭＹＫ（Ｃ：シアン、Ｍ：マゼンダ、Ｙ：イエロー、Ｋ：ブラック）の出力表色系へと出力色変換し、誤差拡散処理等を行って二値化する処理を行う。なお、第２変換回路１０ｂはカラー画像データをモノクロ画像データに変換する際には、Ｌ*ａ*ｂ*表色系の画像データのうち、Ｌ*成分に対してのみ画像処理を行い、Ｋ成分のみの画像信号を生成する処理を行う。また、ＲＧＢ表色系の画像データが変換される表色系は、Ｌ*ａ*ｂ*表色系に限定されるものではなく、例えばＹｃｃ表色系等でもよく、カラー画像データをモノクロ画像データに変換する場合には、第２変換回路１０ｂにおいてＹ成分に対してのみ画像処理が行われる。
【００２４】
メモリ管理回路１１は、多値メモリ管理回路１１ａ及び二値メモリ管理回路１１ｂを具備している。多値メモリ管理回路１１ａは、第１変換回路１０ａで処理された画像データやＪＰＥＧコーデック７ａで復号化された画像データを多値メモリ１２ｂに格納し、多値メモリ１２ｂに格納されている画像データをＪＰＥＧコーデック７ａ又は第２変換回路１０ｂに出力する処理を行う。また、カラー画像データをモノクロ画像データに変換する場合は、この多値メモリ管理回路１１ａは制御部２の制御命令に従って多値メモリ１２ｂに格納されているＬ*ａ*ｂ*表色系の画像データのうち、Ｌ*成分のみを第２変換回路１０ｂに送出する。二値メモリ管理回路１１ｂは、第２変換回路１０ｂで処理された画像データ又はプリントコーデック７ｃで復号化された画像データを二値メモリ１２ｃに格納し、二値メモリ１２ｃに格納されている画像データをスキャナコーデック７ｂ又は記録部１４へ出力する処理を行う。
【００２５】
画像メモリ１２は、符号化メモリ１２ａ、多値メモリ１２ｂ及び二値メモリ１２ｃから構成されている。符号化メモリ１２ａは、ファクシミリ通信にて送受信した画像データ、電子メールにて送受信した画像データ等を一時的に格納する。多値メモリ１２ｂは、第１変換回路１０ａによってＬ*ａ*ｂ*表色系に変換された画像データ等の多値画像データを一時的に格納する。二値メモリ１２ｃは、第２変換回路１０ｂによって二値化された画像データやプリントコーデック７ｃによって復号化された画像データを一時的に格納する。
【００２６】
通信部１３は、モデム１７及びＮＣＵ（Network Control Unit）１８を備えている。モデム１７は、例えばＩＴＵ−Ｔ（国際電気通信連合電気通信標準化部門）の勧告Ｖ．３４規格又はこれと同様のものに従った送受信データの変調及び復調を行うものである。ＮＣＵ１８は、電話回線を制御して電話をかけたり、切ったりする回線網制御装置であり、ＰＳＴＮ（Public Switched Telephone Network）１９に接続されている。
【００２７】
記録部１４は、例えば電子写真方式のものからなり、原稿読取部８で読み取られた画像データ、ファクシミリ受信した画像データ、クライアントＰＣ２２から受信した画像データ等を記録紙に記録する。また、記録部１４は通信管理テーブルＴに格納されている通信に関する情報と、送受信したカラー画像データの１ページ目をモノクロ画像として記録紙に記録する。
【００２８】
ＬＡＮＩ／Ｆ１５は、ＬＡＮ（Local Area Network）２１とのインターフェイスを備えており、この通信装置１と同じくＬＡＮ２１に接続されたクライアントＰＣ２２、メールサーバ２３、ルータ２４との通信が可能である。
【００２９】
複合機として上記構成を備えた通信装置１によれば、コピー機能によって原稿読取部８で読み取った画像データを記録紙に記録することができるほか、ファクシミリ機能によって他のＧ３ファクシミリ装置（不図示）とファクシミリ送受信し、インターネットファクシミリ機能によって他のインターネットファクシミリ装置等（不図示）と原稿の画像データが添付された電子メールを送受信することができるようになっている。
【００３０】
また、ファクシミリ機能やインターネットファクシミリ機能により送受信したカラー画像データの１ページ目のみをモノクロ画像データとして格納することができる。そして、格納されたモノクロ画像データは、その通信に関する情報と共に、表示部６の備える液晶表示装置に表示させたり、記録部１４によって記録紙に記録することができる。
【００３１】
以下、ファクシミリ通信にてカラー画像データを送受信した場合に、その画像データの１ページ目のみをモノクロ画像に変換し、更に符号化して通信に関する情報と共に格納するための処理動作について図５及び図６に示すフローチャートに基づいて説明する。なお、このフローチャートに示す通信装置１の各部の動作は、制御部２の制御命令に基づいて行われる。
【００３２】
制御部２は、画像データの送受信が完了したと判断すると（Ｓ１：ＹＥＳ）、図２に示した通信管理テーブルＴに相手先名、モード、開始日時等の画像データの通信に関する情報を格納する（Ｓ２）。そして、符号化メモリ１２ａに送受信済みのカラー画像データの１ページ目のみを残し、２ページ目以降を消去する（Ｓ３）。続いて、そのカラー画像データの１ページ目を復号化し、モノクロ画像データに変換する（Ｓ４）。具体的には、図４に示したように、符号化メモリ１２ａに格納されているカラー画像データの１ページ目を、ＪＰＥＧコーデック７ａにより復号化して多値メモリ１２ａに一時的に格納した後、多値メモリ管理回路１１ａによりＬ*ａ*ｂ*表色系の画像データのうちＬ*成分のみを読み出して第２変換回路１０ｂに送出し、該第２変換回路１０ｂにおいてＫのみの画像信号を生成する処理等を行って二値メモリ１２ｃに一時的に格納する。
【００３３】
続いて、二値メモリ１２ｃに格納されているモノクロ画像データをスキャナコーデック７ｂにより所定の符号化方式で符号化する（Ｓ５）。所定の符号化方式とは、ＭＨ、ＭＲ、ＭＭＲ、ＪＢＩＧ方式のいずれかの符号化方式である。そして、制御部２はスキャナコーデック７ｂによって符号化されたモノクロ画像データのデータ量が予め設定されたしきい値以下であるか否かを判断し（Ｓ６）、しきい値以下であると判断した場合には（Ｓ６：ＹＥＳ）、Ｓ５において符号化されたモノクロ画像データにファイル番号を付けて符号化メモリ１２ａに格納する（Ｓ７）。そして、そのファイル番号と、格納されたモノクロ画像データが符号化されている符号化方式を通信管理テーブルＴの「ファイル番号」欄と「方式」欄にそれぞれ格納する（Ｓ８）。
【００３４】
一方、制御部２がＳ５において符号化されたモノクロ画像データのデータ量がしきい値以下ではないと判断した場合（Ｓ６：ＮＯ）、スキャナコーデック７ｂは二値メモリ１２ｃに格納されているモノクロ画像データを他の符号化方式で符号化する（Ｓ９）。そして、制御部２はＳ９において符号化されたモノクロ画像データのデータ量がしきい値以下であるか否かを判断し（Ｓ１０）、しきい値以下であると判断した場合には（Ｓ１０：ＹＥＳ）、Ｓ９において符号化されたモノクロ画像データにファイル番号を付けて符号化メモリ１２ａに格納する（Ｓ１１）。そして、前記Ｓ８と同様にファイル番号と格納されたモノクロ画像データが符号化されている符号化方式を通信管理テーブルＴの「ファイル番号」欄と「方式」欄にそれぞれ格納する（Ｓ１２）。
【００３５】
また、制御部２はＳ９において符号化されたモノクロ画像データのデータ量がしきい値以下ではないと判断した場合（Ｓ１０：ＮＯ）、未試行の符号化方式があるか否かを判断する（Ｓ１３）。未試行の符号化方式がある場合には（Ｓ１３：ＹＥＳ）、スキャナコーデック７ｂはその未試行の符号化方式でモノクロ画像データを符号化し（Ｓ１４）、制御部２はその符号化方式で符号化されたモノクロ画像データのデータ量がしきい値以下であるか否かを判断する（Ｓ１０）。そして、そのデータ量がしきい値以下であると判断した場合は、その符号化方式で符号化されたモノクロ画像データに対し、前記Ｓ１１及びＳ１２の処理を行う。
【００３６】
未試行の符号化方式がない場合（Ｓ１３：ＮＯ）、具体的にはＭＨ、ＭＲ、ＭＭＲ、ＪＢＩＧ方式のいずれの符号化方式で符号化しても、そのデータ量がしきい値以下とならない場合、符号化した際にそのデータ量が最も少なくなる符号化方式で符号化したモノクロ画像データにファイル番号を付けて符号化メモリ１２ａに格納する（Ｓ１５）。そして、そのファイル番号と格納されたモノクロ画像データが符号化されている符号化方式を通信管理テーブルＴの「ファイル番号」欄と「方式」欄にそれぞれ格納する（Ｓ１６）。
【００３７】
以上説明したように、ファクシミリ通信にて送受信したカラー画像データは、その１ページ目のみが復号化され、モノクロ画像データに変換され、更に符号化された際にそのデータ量が所定値以下となるような符号化方式で符号化されて、通信に関する情報と共に格納される。なお、Ｓ５、Ｓ９、Ｓ１４で行う符号化の方式は、操作部５から予め設定しておくことが可能である。
【００３８】
以下、電子メールにてカラー画像データを送受信した場合に、送受信済み電子メールに添付されているカラー画像データの先頭部分のみをモノクロ画像データとして通信に関する情報と共に格納するための処理動作について図７及び図８に示すフローチャートに基づいて説明する。なお、このフローチャートに示す通信装置１の各部の動作は、制御部２の制御命令に基づいて行われる。
【００３９】
制御部２は、電子メールの送受信が完了したと判断すると（Ｓ１８：ＹＥＳ）、図３に示した通信管理テーブルＴに送受信した電子メールの通信に関する情報を格納する（Ｓ１９）。そして、送受信した電子メールに複数のファイルからなるカラー画像データが添付されているか否かを判断する（Ｓ２０）。複数のファイルからなるカラー画像データが添付されていない、すなわち添付ファイルが１つの場合（Ｓ２０：ＮＯ）、図９に示すように添付されているカラー画像データ２７のタグ情報から１ページ目を判断し、先頭部分としてその１ページ目２８のみを符号化メモリ１２ａに残して２ページ目以降を消去する（Ｓ２１）。続いて、そのカラー画像データの１ページ目２８を、前記Ｓ４と同様に復号化してモノクロ画像データに変換する（Ｓ２２）。そして、該モノクロ画像データは、二値メモリ１２ｃに一時的に格納される。
【００４０】
続いて、二値メモリ１２ｃに格納されている画像データをスキャナコーデック７ｂにより所定の符号化方式で符号化する（Ｓ２３）。所定の符号化方式とは、ＭＨ、ＭＲ、ＭＭＲ、ＪＢＩＧ方式のいずれかの符号化方式である。そして、制御部２はスキャナコーデック７ｂによってＳ２３で符号化されたモノクロ画像データのデータ量が予め設定されたしきい値以下であるか否かを判断し（Ｓ２４）、しきい値以下である場合には（Ｓ２４：ＹＥＳ）、そのＳ２３で符号化されたモノクロ画像データにファイル番号を付けて符号化メモリ１２ａに格納する（Ｓ２５）。そして、そのファイル番号と格納されたモノクロ画像データが符号化されている符号化方式を通信管理テーブルＴの「ファイル番号」欄と「方式」欄にそれぞれ格納する（Ｓ２６）。
【００４１】
一方、制御部２がＳ２３において符号化されたモノクロ画像データのデータ量がしきい値以下ではないと判断した場合（Ｓ２４：ＮＯ）、スキャナコーデック７ｂは二値メモリ１２ｃに格納されているモノクロ画像データを他の符号化方式で符号化する（Ｓ２８）。そして、制御部２はＳ２８において符号化されたモノクロ画像データのデータ量がしきい値以下であるか否かを判断し（Ｓ２９）、しきい値以下であると判断した場合には（Ｓ２９：ＹＥＳ）、Ｓ２８において符号化されたモノクロ画像データにファイル番号を付けて符号化メモリ１２ａに格納する（Ｓ３０）。そして、前記Ｓ２６と同様にファイル番号と格納されたモノクロ画像データが符号化されている符号化方式を通信管理テーブルＴの「ファイル番号」欄と「方式」欄にそれぞれ格納する（Ｓ３１）。
【００４２】
また、制御部２はＳ２８において符号化されたモノクロ画像データのデータ量がしきい値以下ではないと判断した場合（Ｓ２９：ＮＯ）、未試行の符号化方式があるか否かを判断する（Ｓ３２）。未試行の符号化方式がある場合（Ｓ３２：ＹＥＳ）、スキャナコーデック７ｂはその未試行の符号化方式でモノクロ画像データを符号化し（Ｓ３３）、制御部２はその符号化方式で符号化されたモノクロ画像データのデータ量がしきい値以下であるか否かを判断する（Ｓ２９）。そして、そのデータ量がしきい値以下であると判断した場合は（Ｓ２９：ＹＥＳ）、Ｓ３３において符号化されたモノクロ画像データに対し、前記Ｓ３０及びＳ３１の処理を行う。
【００４３】
一方、未試行の符号化方式がない場合（Ｓ３２：ＮＯ）、具体的にはＭＨ、ＭＲ、ＭＭＲ、ＪＢＩＧ方式のいずれの符号化方式で符号化しても、そのデータ量がしきい値以下とならない場合、これらの符号化方式の中で符号化した際にそのデータ量が最も少なくなる符号化方式で符号化したモノクロ画像データにファイル番号を付けて符号化メモリ１２ａに格納する（Ｓ３４）。そして、そのファイル番号と、格納されたモノクロ画像データが符号化されている符号化方式を、通信管理テーブルＴの「ファイル番号」欄と「方式」欄にそれぞれ格納する（Ｓ３５）。
【００４４】
前記Ｓ２０において、制御部２は、例えば図１０に示すように、送受信済みの電子メールに複数のファイルからなるカラー画像データ３０乃至３２が添付されていると判断した場合（Ｓ２０：ＹＥＳ）、操作部５から予め先頭ファイルとして添付されているカラー画像データ３０の先頭部分のみを格納するように設定されているか否かを判断する（Ｓ３７）。先頭ファイルとして添付されているカラー画像データ３０の先頭部分のみを格納するように設定されている場合（Ｓ３７：ＹＥＳ）、先頭ファイルとして添付されているカラー画像データ３０に対してその１ページ目のみを復号化し、モノクロ画像データに変換し、そのデータ量がしきい値以下となる符号化方式で符号化して格納するという前記Ｓ２１以降の処理を行う。
【００４５】
また、先頭ファイルとして添付されているカラー画像データ３０の先頭部分のみを格納するように設定されていない場合（Ｓ３７：ＮＯ）、複数のファイルからなるカラー画像データの各々の１ページ目３０ａ、３１ａ、及び３２ａのみを残し、２ページ目以降を消去する（Ｓ３８）。そして、それらのカラー画像データの１ページ目３０ａ、３１ａ、及び３２ａをそれぞれ復号化し、前記Ｓ４と同様にしてそれぞれモノクロ画像データに変換する（Ｓ３９）。そして、モノクロ画像データに変換されたこれら三つの画像データ３０ａ、３１ａ、及び３２ａのそれぞれに対して前記Ｓ２３以降の処理動作を行う。なお、この場合、複数の画像データが格納されるため、図３に示す通信管理テーブルＴの「ファイル番号」欄、「方式」欄にはそれぞれ複数のファイル番号、方式がそれぞれ格納される。
【００４６】
以上説明したように、電子メールにて送受信したカラー画像データは、そのカラー画像データの先頭部分のみ、具体的には、添付されたカラー画像データの１ページ目のみが復号化され、モノクロ画像データに変換され、更に符号化した際にそのデータ量が所定値以下となる符号化方式で符号化されて、通信に関する情報と共に格納される。また、複数のファイルからなるカラー画像データが添付されている場合には、添付されているカラー画像データの各々の１ページ目を同様に格納することが可能である。なお、Ｓ２３、Ｓ２８、Ｓ３３で行う符号化の方式は、操作部５から予め設定しておくことが可能である。
【００４７】
また、通信管理テーブルＴに格納されている通信に関する情報及び符号化メモリ１２ａに格納されている１ページ目のモノクロ画像データは、ユーザの操作部５からの所定操作によって、図１１に示すように記録紙に記録したり、表示部６の備える液晶表示装置に表示させることができる。すなわち、前記所定の操作によって通信管理テーブルＴの番号が指定されると、当該番号と同一レコードに記載されているファイル番号を持つモノクロ画像データが、符号化メモリ１２ａからプリントコーデック７ｃへと送られて復号化された後、一旦二値メモリに格納される。そして、通信管理テーブルＴの前記同一レコードに記載されている通信に関する情報と共に記録部１４へと送られて記録紙に記録される。
【図面の簡単な説明】
【００４８】
【図１】本発明の実施の形態に係る通信装置の構成を示すブロック図である。
【図２】ファクシミリ機能により送受信した画像データの通信に関する情報等を格納するための通信管理テーブルを示した図である。
【図３】インターネットファクシミリ機能により送受信した電子メールの通信に関する情報等を格納するための通信管理テーブルを示した図である。
【図４】送受信済みカラー画像データに対して行われる画像処理のデータ転送の流れを示した図である。
【図５】ファクシミリ通信にてカラー画像データを送受信した際に行われる処理動作を示したフローチャートである。
【図６】ファクシミリ通信にてカラー画像データを送受信した際に行われる処理動作を示したフローチャートである。
【図７】電子メールにてカラー画像データを送受信した際に行われる処理動作を示したフローチャートである。
【図８】電子メールにてカラー画像データを送受信した際に行われる処理動作を示したフローチャートである。
【図９】送受信した電子メールに添付されているカラー画像データの先頭部分を説明するための概略図である。
【図１０】送受信した電子メールに複数のファイルからなるカラー画像データが添付されている場合に、通信装置に格納される画像データの先頭部分について説明するための概略図である。
【図１１】ファクシミリ通信にて送信した画像データの１ページ目のモノクロ画像とその通信に関する情報が記録された記録紙を示した図である。
【符号の説明】
【００４９】
１  通信装置
２  制御部
３  ＲＯＭ
４  ＲＡＭ
６  表示部
７  コーデック
７ａ  ＪＰＥＧコーデック
７ｂ  スキャナコーデック
７ｃ  プリントコーデック
１０ｂ  第２変換回路
１１ａ  多値メモリ管理回路
１２ａ  符号化メモリ
１４  記録部
２７、３０、３１、３２  カラー画像データ
２８、３０ａ、３１ａ、３２ａ  カラー画像データの１ページ目
Ｔ  通信管理テーブル
【図１】
2008312250.tif 000003
【図２】
2008312250.tif 000004
【図３】
2008312250.tif 000005
【図４】
2008312250.tif 000006
【図５】
2008312250.tif 000007
【図６】
2008312250.tif 000008
【図７】
2008312250.tif 000009
【図８】
2008312250.tif 000010
【図９】
2008312250.tif 000011
【図１０】
2008312250.tif 000012
【図１１】
2008312250.tif 000013